(57)【要約】【課題】  大容量化の可能な低廉な空気脱臭方式を提供する。【解決手段】  本発明の脱臭方法は、汚染空気を筒状本体（１）の軸線方向に供給しつつ内部で旋回流（３）を生じさせ、該旋回流中に液状脱臭剤をミスト状に噴霧して臭気成分を除去すると共に、前記旋回流によって脱臭剤ミスト（４ａ）を前記筒状本体（１）の周壁面（１ｃ）に付着させて壁面流（４ｂ）として分離し、浄化空気は筒状本体の他端から軸線方向に排出させるもの。 【選択図】        図１
2006025914.tif 000002
【特許請求の範囲】
【請求項１】
臭気成分を含む汚染空気を流通させつつ該汚染空気中に液状脱臭剤を噴霧して前記臭気成分を除去する脱臭方法であって、
長軸方向の一端部に汚染空気導入口（１ａ）を有し、他端部に浄化空気排出口（１ｂ）を有する筒状本体（１）の前記汚染空気導入口（１ａ）より、汚染空気（Ａ）を前記筒状本体（１）の長軸方向に連続的に供給し、
該長軸方向に供給された汚染空気（Ａ）を、前記筒状本体（１）内に設置された螺旋流路（２）を通して汚染空気の旋回流（３）を形成すると共に、
該旋回流（３）を形成する前又は該旋回流（３）を形成した後に、前記筒状本体（１）の長軸方向の略中心部に配置された噴霧ノズル（５）から前記汚染空気（Ａ）中に前記液状脱臭剤（Ｂ）をミスト状に噴霧し、これにより該脱臭剤（Ｂ）と前記汚染空気（Ａ）とを接触させて前記臭気成分を除去すると共に、
前記汚染空気（Ａ）の旋回流（３）の作用により前記噴霧されたミスト状脱臭剤（４ａ）を前記筒状本体（１）の内壁面（１ｃ）に吹き飛ばして壁面流（４ｂ）となし、これによって前記旋回流の気液分離を行い、
前記臭気成分を除去された浄化空気（Ａ’）は前記浄化空気排出口（１ｂ）から前記筒状本体（１）の長軸方向に排出させ、前記壁面流（４ｂ）は脱臭剤排出口（７）から筒状本体（１）の側方に排出させるようにしたことを特徴とする空気の脱臭方法
【請求項２】
前記噴霧ノズル（５）が前記螺旋流路（２）の上流側と下流側の両方に配置され、前記気液混相流を旋回流となした後に、更に該旋回流中に前記液状脱臭剤を噴霧するようにしてなる請求項１に記載の空気の脱臭方法
【請求項３】
前記筒状本体（１）の胴部から内部に紫外線を照射して、内部の空気の殺菌処理を行うようにしてなる請求項２又は３に記載の空気の脱臭方法
【請求項４】
前記紫外線照射を、前記汚染空気（Ａ）とミスト状脱臭剤（４ａ）との混相流に対して行うようにしてなる請求項３に記載の空気の脱臭方法
【請求項５】
臭気成分を含む汚染空気を流通させつつ該汚染空気中に液状脱臭剤を噴霧して前記臭気成分を除去する空気の脱臭装置であって、
長軸方向の一端部に汚染空気導入口（１ａ）を有し、他端部に浄化空気排出口（１ｂ）を有する筒状本体（１）と、
該筒状本体（１）内に設けられた螺旋流路（２）と、
該旋回流路（２）の上流側又は下流側若しくはその両方の前記筒状本体（１）の略長軸方向に設置されて、前記液状脱臭剤（Ｂ）をミスト状に噴霧する噴霧ノズル（５）と、
前記螺旋流路（２）によって形成された汚染空気の旋回流の作用により、該旋回流中の前記噴霧された前記ミスト状の脱臭剤（４ａ）を前記筒状本体（１）の壁面に吹き飛ばして壁面流（４ｂ）となし、前記浄化空気排出口（１ｂ）に連通して前記筒状本体（１）内に配置された内筒部材（９）と前記筒状本体（１）との間に形成された環状空間（６ａ）内に前記壁面流（４ｂ）を流入させる気液分離部（６）と、                        
該気液分離部（６）で分離された壁面流（４ｂ）を前記環状空間（６ａ）に連通して前記筒状本体（１）の側方に排出する脱臭剤排出口（７）と、
を有する事を特徴とする空気の脱臭装置
【請求項６】
前記脱臭剤排出口（７）を液状脱臭剤（Ｂ）を貯蔵する脱臭剤タンク（８）に接続し、該脱臭剤タンク（８）内の液状脱臭剤（Ｂ）を送給ポンプ（Ｐ）を介して前記噴霧ノズル（５）に送給するようにしてなる請求項５に記載の空気の脱臭装置
【請求項７】
前記螺旋流路（２）が、複数個直列に配置されてなる請求項５又は６に記載の空気の脱臭装置
【請求項８】
前記筒状本体（１）の少なくとも一部を、紫外線透過性を有する合成樹脂製の部材（１ｅ，１ｅ’）で形成し、該合成樹脂製部材の外側に紫外線照射装置（１０，１０’）を配置してなる請求項５乃至７のいずれかに記載の空気の脱臭装置
【請求項９】
前記筒状本体（１）の少なくとも一部を内管（１ｅ，１ｅ’）と外管（１ｆ，１ｆ’）とからなる二重管構造とし、前記内管（１ｅ，１ｅ’）を、紫外線透過性を有する合成樹脂製の部材で形成し、前記外管（１ｆ，１ｆ’）を金属製となし、該内外管の間に紫外線照射装置（１０，１０’）を配置してなる請求項８に記載の空気の脱臭装置
【請求項１０】
前記二重管構造部が、少なくとも前記螺旋流路（２）の下流側の前記汚染空気と脱臭剤ミスト（４ａ）との気液混相流部を含むものである請求項９に記載の空気の脱臭装置
【請求項１１】
前記筒状本体をユニット化し、該筒状本体の複数のユニット（１，１’）を直列に接続してなる請求項５乃至１０のいずれかに記載の空気の脱臭装置
【請求項１２】
前記複数個の筒状本体ユニットの内の下流側ユニット（１’）の前記脱臭剤排出口（７’）から排出される前記液状脱臭剤を、その上流側ユニット（１）の噴霧ノズル（５）を通して該上流側ユニット（１）内に噴霧し、最上流側ユニット（１）の脱臭剤排出口（７）から装置外に排出すると共に、最下流側のユニット（１’）の噴霧ノズル（５’）には、新鮮な液状脱臭剤を供給するようにしてなる請求項１１に記載の空気の脱臭装置
【請求項１３】
前記筒状本体をユニット化し、該筒状本体の複数のユニット（１，１’，１”）を複数個並列に配置してなる請求項５乃至１０のいずれかに記載の空気の脱臭装置
【請求項１４】
前記噴霧ノズル（５）の複数個所から前記液状脱臭剤を噴霧するようにしてなる請求項５乃至１３のいずれかに記載の空気の脱臭装置
【発明の詳細な説明】
【技術分野】
【０００１】
本発明は、空気中の悪臭成分を除去して清浄な空気となす空気の脱臭方法と装置に関するものである。
【背景技術】
【０００２】
空気の清浄化装置は、従来から多くの分野において使用されている。例えば、家庭用や事務所の喫煙室用の小型のものから、ビルの換気システム用やごみ処理施設用等の大型のものまで種々の装置があり、既に多くの分野で実用化されている。
【０００３】
これらの空気の脱臭浄化装置のうち一般家庭用の空気浄化装置としては、高電場内に空気を通すことにより空気中にイオンを発生させ、このイオンによって臭気成分を分解する方式があるが、イオンが極めて不安定で空気中の臭気成分の分子と接触する前に消滅してしまうため、極めて効率が悪いという問題がある。更に、近年注目されている空気浄化方式としては光触媒を用いる方式がある。この方式は、空気中の臭気成分が光触媒と接触することによって分解されるものであるが、充分な時間を掛けて自然に空気を浄化させる方式であるので、大量の空気を短時間で処理する方式には適合し難い。
【０００４】
一方、大型の空気清浄化装置としては活性炭を使用するものが主流であり、活性炭の吸着力を利用して空気中の悪臭成分を吸着除去する方式である。しかしながら、活性炭が経時的に劣化することは避けられないので、活性炭をカセット方式として着脱自在となし、定期的に取り替えるか賦活再生処理を行うかの何れかが必要となり、いずれもメンテナンス費用が発生する。更に、活性炭吸着方式は、大型化すればするほど大量の活性炭を必要とし、メンテナンス費用も増大することになる。
【０００５】
又、他の大容量の空気清浄化装置としては、空気中の臭気成分を吸収したり、或いは分解させる脱臭成分を含む液状脱臭剤を、空気流中に噴霧する方式がある。液状脱臭剤としては、臭気成分の物性によって適宜選択され、酸性水であったりアルカリ水であったりするが、汎用性の液状脱臭剤としてオゾン水が用いられる場合もある。この種の装置においては、大量の空気と液状脱臭剤とを如何に効率良く接触させるかが課題であり、効率的な方式としてサイクロンを用いるものがある（例えば特許文献１）。
【０００６】
このサイクロン方式は、一対の円筒体を併設し且つ両円筒体の下端部を接線方向に連通させ、一方の円筒体の上端接線方向から汚染空気を供給することによって両円筒体内に旋回流を形成し、両円筒体の軸線方向に沿った中央部に噴霧管を配置し、水の電解によって生成した酸性水とアルカリ水を、夫々前記噴霧管から噴霧するもので、これによって汚染空気と酸性水又はアルカリ水を接触させてアルカリ性臭気成分や酸性臭気成分を吸収除去する方式である。尚、噴霧された酸性水とアルカリ水は円筒体内を流下し、下方に設置された水槽内で中和されて排出されるようになっている。
【特許文献１】特許第３３４９３５９号公報（図１及び特許請求の範囲参照）
【発明の開示】
【発明が解決しようとする課題】
【０００７】
上記サイクロン方式は、汚染空気を円筒体の接線方向に供給して該円筒体内に旋回流を形成し、この旋回流中に脱臭剤である酸性水やアルカリ水を噴霧しているので、単なる平行気流中に噴霧する方法に比べて気液の接触時間は長くなり、臭気成分の捕集効率では優れているが、空気の旋回流を形成するための方策として円筒体の接線方向から汚染空気を供給する方式が採用されている。この結果、旋回流を形成するためには、接線方向に汚染空気を供給する空気供給ノズルの大きさや形状に制約があり、円筒体壁面に沿った長穴スリット状のノズル形状が要求される。即ち、空気処理量に応じた太径のパイプを汚染空気供給ノズルとして採用するためには、該ノズル径よりも遙に大きな径の円筒体が必要とされ、さもなければ、円筒体内での旋回流の形成が困難となる。
【０００８】
又、一対の円筒体の底部を接線方向の連通管で連結し、一方の円筒体から他方の円筒体に空気を送給すると共に、前記連通管の下部は前記噴霧した酸性水やアルカリ水の流下水の中和槽となっているが、一方の円筒体から他方の円筒体に空気が送給される際に、前記酸性水やアルカリ水のミストの同伴は避けられず、このため、浄化空気の出口側には、水分離器としての湿式フィルタが配置されている。この湿式フィルタの存在は、空気の流通抵抗をもたらし、空気処理量を低下させるか、電力原単位を高めることになる。更に、水の電解装置も必要であり、設備コストや運転コストが高くなる問題もある。
【０００９】
そこで、本発明は、大量に汚染空気を処理することができ且つ設備コストや運転コストの低廉な脱臭装置の提供を目的とするものである。
【課題を解決するための手段】
【００１０】
本発明は、上記目的達成のためになされたもので、発明者らが長年研究して実績のある軸流式サイクロンの原理を応用したものであり、その特徴とするところは、臭気成分を含む汚染空気を流通させつつ該汚染空気中に液状脱臭剤を噴霧して前記臭気成分を除去する脱臭方法であって、
長軸方向の一端部に汚染空気導入口を有し、他端部に浄化空気排出口を有する筒状本体の前記汚染空気導入口より、汚染空気を前記筒状本体の長軸方向に連続的に供給し、
該長軸方向に供給された汚染空気を、前記筒状本体内に設置された螺旋流路を通して汚染空気の旋回流を形成すると共に、
該旋回流を形成する前又は該旋回流を形成した後に、前記筒状本体の長軸方向の略中心部に配置された噴霧ノズルから前記汚染空気中に前記液状脱臭剤をミスト状に噴霧し、これにより該脱臭剤と前記汚染空気とを接触させて前記臭気成分を除去すると共に、
前記汚染空気の旋回流の作用により前記噴霧されたミスト状脱臭剤を前記筒状本体の内壁面に吹き飛ばして壁面流となし、これによって前記旋回流の気液分離を行い、
前記臭気成分を除去された浄化空気は前記浄化空気排出口から前記筒状本体の長軸方向に排出させ、前記壁面流は脱臭剤排出口から筒状本体の側方に排出させるようにした空気の脱臭方法にある。
【００１１】
尚、前記噴霧ノズルが前記螺旋流路の上流側と下流側の両方に配置され、前記気液混相流を旋回流となした後に、更に該旋回流中に前記液状脱臭剤を噴霧するようになすことも可能であり、これにより、前記螺旋流路の混合作用によって前記ミスト状脱臭剤と汚染空気との均一混合が促進され、脱臭効率を高めることが可能となる。
【００１２】
又、前記筒状本体の胴部から内部に紫外線を照射して、内部の空気の殺菌処理を行うようになすことも可能である。この場合に、紫外線を汚染空気と脱臭剤のミストとの混相流中に照射するのが好ましい。
【００１３】
上記脱臭方法を実施するための装置としては、臭気成分を含む汚染空気を流通させつつ該汚染空気中に液状脱臭剤を噴霧して前記臭気成分を除去する空気の脱臭装置であって、その特徴とするところは、
長軸方向の一端部に汚染空気導入口を有し、他端部に浄化空気排出口を有する筒状本体と、
該筒状本体内に設けられた螺旋流路と、
該旋回流路の上流側又は下流側若しくはその両方の前記筒状本体の略長軸方向に設置されて、前記液状脱臭剤をミスト状に噴霧する噴霧ノズルと、
前記螺旋流路によって形成された汚染空気の旋回流の作用により、該旋回流中の前記噴霧された前記ミスト状脱臭剤を前記筒状本体の壁面に吹き飛ばして壁面流となし、前記浄化空気排出口に連通して前記筒状本体内に配置された内筒部材と前記筒状本体との間に形成された環状空間内に前記壁面流を流入させる気液分離部と、
該気液分離部で分離された壁面流を前記環状空間に連通して前記筒状本体の側方に排出する脱臭剤排出口と、を有する点にある。
【００１４】
又、前記装置の脱臭剤排出口を、液状脱臭剤を貯蔵する脱臭剤タンクに接続し、該脱臭剤タンク内の液状脱臭剤を送給ポンプを介して前記噴霧ノズルに送給する様にして、脱臭剤の循環使用を行える様になすことも可能である。
【００１５】
又、前記螺旋流路を複数個直列に配置して旋回流を強力なものとなし、気液の一層の混合を図り、脱臭効率を高める方式も可能である。
【００１６】
更に、前記筒状本体の少なくとも一部を内管と外管とからなる二重管構造とし、前記内管を紫外線透過性を有する合成樹脂製の部材で形成し、前記外管を金属製となし、該内外管の間に紫外線照射装置を配置して汚染空気又は浄化空気の殺菌処理を行うようになすことも可能である。特に、この二重管部を、汚染空気と脱臭剤ミストとの混相流部に形成するのが好ましい態様である。
【００１７】
又、前記筒状本体をユニット化し、該筒状本体の複数のユニットを直列に接続すれば、脱臭率を高めることができる。この場合に，複数個の筒状本体ユニットの内の下流側ユニットの前記脱臭剤排出口から排出される前記液状脱臭剤を、その上流側ユニットの噴霧ノズルを通して該上流側ユニット内に噴霧し、最上流側ユニットの脱臭剤排出口から装置外に排出すると共に、最下流側のユニットの噴霧ノズルには、新鮮な液状脱臭剤を供給するように液状脱臭剤の配管を接続するのが好ましい。
【００１８】
更に、前記筒状本体をユニット化し、該筒状本体の複数のユニットを複数個並列に配置する方式も可能であり、これにより容易に大処理量の脱臭装置の製作を行うことが可能となる。
【００１９】
また、前記噴霧ノズルの複数個所から前記液状脱臭剤を多量に噴霧するようになすのも好ましい態様である。
【発明の効果】
【００２０】
本発明の脱臭方法によると、汚染空気は筒状本体の軸線方向に流通し、旋回流は筒状本体内に設置された螺旋流路によって形成される構成となっているので、接線方向に汚染空気導入口を設ける方式に比して、該空気導入部の設計の自由度が高まり、装置の要求される空気処理能力に応じた設計が容易となる。
【００２１】
又、前記噴霧ノズルを前記螺旋流路の上流側に配置する方式を採用すれば、軸方向の汚染空気の流れの中に脱臭剤がミスト状に噴霧されて気液混相流が形成され、この混相流が螺旋流路によって旋回流となる過程で気液の混合が進み、脱臭率を高めることが可能となる。更に、前記螺旋流路を、複数個直列に配置しておけば、気液の混合が一層促進され、脱臭効率を更に高めることが可能となる。
【００２２】
又、前記筒状本体の一部から内部の空気に対して紫外線照射を行い、空気の殺菌を行うようにすれば、空気の殺菌と脱臭が同時に行える効果がある。特に、脱臭剤ミストと空気との混相流中に紫外線を照射すると、紫外線がミスト（水滴）表面で反射したり、透過する際の屈折により、単に空気中を直進する紫外線の場合よりも滞留時間が長くなり、従って紫外線密度が高くなり、殺菌効率を高める効果が期待される。
【００２３】
又、前記汚染空気の旋回流中に噴霧された前記脱臭剤を、該旋回流の作用（遠心力）によって前記筒状本体の壁面に吹き飛ばして壁面流となし、前記筒状本体内に配置された内筒部材と前記筒状本体との間に形成された環状空間内に前記壁面流を流入させる構造の気液分離部を形成しているので、格別な気液分離器は不要となり、装置の製作コストやメンテナンスコストの低減が可能となる。
【００２４】
又、筒状本体をユニット化し、該筒状本体の複数のユニットを直列に接続する構成を採用すれば、装置の脱臭率を容易に高めることが可能となる。又、この場合に、脱臭剤を下流側のユニットから順次上流側のユニットに供給するようにしておけば、脱臭剤をワンスルーで流通させて使用することができ、脱臭剤の使用効率を高めることが可能となる。
【００２５】
又、前記ユニット化した前記筒状本体を複数個並列に配置して使用することにより、装置の能力を容易に増大させることが可能となるので、装置コストを大幅に低減させることが可能となる。
【００２６】
又、前記噴霧ノズルの複数個所から前記液状脱臭剤を噴霧するように構成すれば、大量の脱臭剤ミストを汚染空気中に供給することができ、脱臭効率の向上を図ることが可能となる。
【発明を実施するための最良の形態】
【００２７】
次に、本発明について、図面を用いて詳細に説明する。図１は、本発明に係る脱臭装置の基本構造を示す第１実施例であり、同図において、円筒状の筒状本体１の上部には、縮径した汚染空気導入口１ａが形成され、下部には、同様に縮径した浄化空気排出口１ｂが形成されており、汚染空気Ａは、前記汚染空気導入口１ａから本体内に供給され、後述する作用によって臭気成分が除去された浄化空気Ａ’は、前記浄化空気排出口１ｂから装置外に送出されるようになっている。前記筒状本体１の内部の上流部には、中央部の軸体２ａの外周部に螺旋状の通路２ｂが形成された構造の螺旋流路２が形成されており、汚染空気が、この螺旋状の通路２ｂを通過する過程で気流に旋回力が付与され、旋回流３となって該螺旋流路２から下方に送出されることになる。この旋回流３中に、液状の脱臭剤Ｂが筒状本体１の略中心部に長手方向に沿って配置された噴霧ノズル５から噴霧され、該ノズル５から噴霧されたミスト状の脱臭剤４ａは、汚染空気の旋回流３に乗って混合され、該汚染空気中の臭気成分を吸収除去することになる。
【００２８】
ここで使用する液状脱臭剤としては、臭気成分がアルコール等の水溶性の場合には水自体を脱臭剤として使用し、アンモニア等のアルカリ成分の場合には、酸性成分を溶解した酸性水を使用し、亜硫酸ガス等の酸性ガスの場合には、アルカリ成分を溶解したアルカリ液を使用し、又、有機性臭気成分の場合には、オゾン水を使用することも可能である。即ち、本発明においては、使用する脱臭剤の選択は任意であり、要は、除去したい臭気成分の種類によって適宜選択すればよいが、ノズルから噴霧可能な液体であることが必須である。
【００２９】
尚、前記ノズル５には、少なくとも１つの噴霧孔が設けられており、該噴霧孔からミスト状に液状脱臭剤が噴霧される構造となっている。噴霧されるミストの大きさは小さい程好ましく、噴霧されるミスト状脱臭剤４ａの噴霧方向は、汚染空気の上流側から水平方向が好ましい。これにより、噴霧されたミストと汚染空気との接触時間を長くすることができる。又、図示の如く前記ノズル５の前記筒状本体１の長軸方向に延在する部分に沿って異なる方向に複数の噴霧孔が形成されており、前記旋回流３中に大量の脱臭剤を噴霧できるようにしておくにのが好ましい。
【００３０】
次に、前記ミスト状に脱臭剤４ａを噴霧された汚染空気の旋回流は、筒状本体１内の空洞部６内で旋回流を保ちつつ筒状本体１内を下方に流下するが、この間に、該汚染空気中の臭気成分はミスト状の脱臭剤４ａと接触して吸収され次第に浄化されていくと同時に、脱臭剤のミストは、旋回流の遠心力によって筒状本体１内の周壁１ｃ側に移動し、遂には該周壁１ｃに衝突して壁面流４ｂとなって壁面に沿って流下する。即ち、該筒状本体１内の空洞部６（前記ノズル５の先端から後述する内筒９の先端部までの空間）は、空気の旋回流によって該旋回流中の液体成分であるミストを遠心力によって分離する機能、即ち、固液分離機能を有しているものであるから、この長さＬ２は、気液分離に必要な十分な長さを確保する必要がある。
【００３１】
又、前記空洞部（気液分離部）６の下部には、前記浄化空気排出口１ｂに連通した内筒９が突入した構造となっており、該内筒９の外面と前記筒状本体１の周壁面１ｃとの間に環状空間６ａが形成されている。従って、前記気液分離されて壁面流４ｂとなった脱臭剤は、前記環状空間６ａに連通した脱臭液排出口７から本体１外に排出液Ｂ’として排出され、浄化された空気Ａ’は、中央の前記内筒９を通って前記浄化空気排出口１ｂから系外に排出されることになる。尚、前記排出された脱臭液Ｂ’は、脱臭液タンク８に戻り、再度ポンプＰから前記噴霧ノズル５に供給されて循環使用されるようになっている。
【００３２】
次に、図２は本発明に係る脱臭装置の第２実施例を示す概念図であり、前記液状脱臭剤が、前記螺旋流路２の上下に配置された２つのノズル５，５’から噴霧されるように構成されている点で図１の装置と異なっている。係る構成を採用することにより、以下の如き作用効果が得られる。即ち、螺旋流路２の上流側では、汚染空気Ａには旋回力が付与されていないので、この気流中に、ノズル５から噴霧された脱臭剤ミスト４ａは、汚染空気の軸方向の平行流の中に漂った状態となっており、該脱臭剤ミスト４ａは、噴出された角度によって疎密に分布した状態となっている。この状態で前記螺旋流路２内に流入すると、該螺旋流路２は混合作用も有しているので、汚染空気と脱臭剤ミスト４ａとは混合されて均一な気液混相流となり、該脱臭剤ミスト４ａが汚染空気内に均一に分散されて脱臭効果を高める効果がある。前記螺旋流路２を通ることによって旋回流３となった気液混相流内に下流側の噴霧ノズル５’から前述の要領で脱臭剤をミスト状に噴霧すると、更に高濃度のミストを含む混相旋回流となり、臭気成分の除去率を高めることになる。臭気成分を吸収したミストは、前述の気液分離部６で前述の通り旋回流の遠心力によって周壁部に吹き飛ばされて付着し、壁面流４ｂとなって流下し、脱臭液排出口７から筒状本体１外に排出液Ｂ’として排出され、浄化された空気は、浄化空気Ａ’として前記浄化空気排出口１ｂから系外に排出される点は、図１の場合と同一である。尚、他の構成は図１と同一であるので、同一符号を付して重複説明は省略する。
【００３３】
次に、図３は、本発明に係る脱臭装置の第３実施例を示す概念図であり、図１の装置に殺菌装置を配置した場合の例を示すものである。即ち、筒状本体１の前記汚染空気導入管１ａの近傍から前記内筒９の入り口部近傍迄を内管１ｅと外管１ｆとからなる二重管となし、前記内管１ｅは紫外線透過性を有する透明な合成樹脂で形成し、前記外管１ｆは金属管で構成され、内外管の間の空間内に紫外線照射装置（例えば紫外線ランプ）１０が配置され、これにより、汚染空気導入管１ａから導入された汚染空気Ａに紫外線を照射して殺菌すると同時に前述の要領で脱臭処理をも行うようにしたものである。
【００３４】
ここで、前記螺旋流路２の下流側の前記内筒９の上端部までの空間は、前記汚染空気と脱臭剤ミスト４ａとの混相流であるので、この部分に紫外線が照射されると、紫外線は微小液滴（ミスト）の表面で反射したり、透過する場合には屈折するので、紫外線が単に直進する場合に比較して、紫外線の筒状本体内での滞留時間が長くなり、即ち、紫外線密度が高くなるので、殺菌効果も向上することが期待できる。
【００３５】
尚、図３では、前記螺旋流路２の上流側１１にも前記内管１ｅが延在し、その外側にも紫外線照射装置１０が延在しており、又、本体下部の前記浄化空気排出口１ｂの近傍部にも、内筒９の一部を紫外線透過性を有する合成樹脂製の内管１ｅ’とし、その外部に金属管１ｆ’を配置して二重管となし、その内外管の間に紫外線照射装置１０’を配置している。この部分は、前記ミストが存在しない部分であるが、通常の紫外線による殺菌作用が行われる事になる。従って、本発明では、紫外線照射装置の配置位置は、ミストの有無に拘わらず基本的には任意であるが、前述のとおり、脱臭剤ミストの存在する気液混相流の部分に配置するのが好ましいといえる。特に、前記液状脱臭剤が循環使用されることを考慮すると、脱臭剤ミストの殺菌効果も期待できる点での効果も大きい。尚、他の構成は図１と同一であるので、同一符号を付して重複説明は省略する。
【００３６】
上記した脱臭装置の構成が、本発明に係る脱臭装置の基本的な構成であるが、更に種々の変形例が存在する。例えば、図４は、筒状本体１における前記噴霧ノズル５の配置された部分から下の部分を最も大径の部分１ｄとなし、これによって前記ミスト４ａが周壁部１ｃに到着するまでの時間を長くして、即ち、ミスト４ａの滞留時間を長くして汚染空気との接触時間を長くし、脱臭効率を高くできるようにした例を示すものである。又、図５は、浄化空気排出口１ｂに連通した前記内筒９の上部開口を覆うように傘部材１２を配置してものであり、これにより、前記内筒９の開口から脱臭剤ミスト４ａが吸引されるのを防止する効果が期待される。
【００３７】
以上の構成の本発明に係る脱臭装置の汚染空気処理能力や脱臭能力は、筒状本体１の径や長さ及び汚染空気の供給速度並びに噴霧ノズルの配置本数や螺旋流路の取り付け位置と数によって適宜設計により可変であるが、処理能力や脱臭率を大幅に向上させる必要も生じる。この場合に、その都度大型装置を設計することも可能であるが、上記した構成の脱臭装置をユニット化しておけば、これらへの要望にも容易に対応可能となる。
【００３８】
図６は、その一例を示す概念図であり、図１に示した装置をユニットとして標準化した場合の例であり、図１に示した装置ユニットを２基直列に配置して１つの脱臭装置とした場合の例である。即ち、第１ユニット１の浄化空気排出口１ｂと第２ユニット１’の汚染空気導入口１ａ’とを接続し、第１ユニット１で脱臭処理された空気を第２ユニット１’に供給して脱臭処理するものである。この場合には、新鮮な液状脱臭剤Ｂは、第２脱臭剤タンク８ｂからポンプＰ２，第２ユニット１’の噴霧ノズル５’を経て第２ユニット１’内に噴霧され、該第２ユニット１’の脱臭液排出口７’から排出された使用済の脱臭液は、第１脱臭液タンク８ａ，ポンプＰ１を経て第１ユニット１の噴霧ノズル５から該第１ユニット１内に噴霧される。即ち、第２ユニット１’に供給される空気中の臭気成分は第１ユニット１で大部分が除去されているので、第２ユニット１’から排出される脱臭剤は、十分な脱臭能力を保有している。従って、これを第１ユニット１の脱臭剤として使用するものである。これにより、１基の脱臭装置では脱臭率が不十分な場合には、２基直列に配置することによって、脱臭率を高めることが可能となる。例えば、１基の脱臭率が９０％の場合には、２基直列に配置することによって、総脱臭率を９９％に高めることが可能となる。
【００３９】
尚、本例においては、２基のユニットを直列に配置しているが、３基，４基と、必要な数のユニットを直列に接続して使用できることはいうまでもない。この場合に、前記脱臭剤は、最下流側から上流側に順次移行させて使用するのが好ましい。又、本例では、２基のユニットを上下に接続して配置しているが、これは２基を併設し、第１ユニット１の浄化空気排出口１ｂを第２ユニットの汚染空導入口１ａ’に配管にて接続することも可能である。要は、設置ペースを考慮して適宜決定すればよい。更にユニットの構造も、図１の装置に限定されるものではなく、図２乃至図５に示した如き各種構造のものを、適宜組み合わせて接続使用することも可能である。
【００４０】
次に、図７は、ユニット化した装置を用いて汚染空気の処理量を増加させる場合の例であり、（ａ）は側面図、（ｂ）は平面図である。同図に示しているように、３つのユニット１，１’，１”を束ねて１つの脱臭装置となし、汚染空気集合導入管から導入された汚染空気は、各ユニットの汚染空気導入口１ａ，１ａ’，１ａ”から各ユニット１，１’，１”内に分配導入され、前述の要領で脱臭処理されて夫々の浄化空気排出口から排出されることになる。このように、３つのユニットを並列で用いることにより、汚染空気の処理量を３倍に増加させることが可能となる。尚、各ユニットの構成は図1と同一であるので、同一符号を付して重複説明を省略する。
【００４１】
尚、この場合も、３系列のユニットの夫々を、図６に示された２つのユニットを直列配置した構造のものにすれば、前述の通り各系列の脱臭率を向上させることも可能となり、大容量，高脱臭率の装置を構成することができる。
【００４２】
以上の説明において、図１〜３には基本構成を示し、図４〜図５には各部の変形例を示し、図６，７には使用例を示しているが、本発明は、これらの各図に示した構成のものに限定されるものではなく、特許請求の範囲に記載された技術思想に基づき、種々の変形例や応用例が存在することは言うまでもない。又、以上の説明においては、筒状本体を上下方向に縦型配置した場合について説明したが、本装置は斜めに傾斜配置することも可能である。この場合には、旋回流によって形成される脱臭剤の壁面流が自然流下する程度の傾斜は必要である。
【実施例１】
【００４３】
次に、図１に示した脱臭装置を用いた脱臭試験について説明する。
〔試験装置の諸元〕
・汚染空気導入口１ａの内径：ｄ１＝３５．７ｍｍ
・浄化空気排出口１ｂの内径：ｄ２＝３５．７ｍｍ
・筒状本体１の内径：Ｄ＝７２．３ｍｍ
・筒状本体１の直胴部長さ：Ｌ１＝４００ｍｍ
・筒状本体１の気液分離部長さ：Ｌ２＝１５０ｍｍ
・螺旋流路２の長さ：Ｌ３＝６０ｍｍ
・螺旋通路２ｂの角度：４５度
〔脱臭試験方法〕
上記試験装置の汚染空気導入口１ａに臭気成分としての試薬（エタノール）をしみ込ませた布を配置して該導入口より０．２立米／分の流速で空気を供給し、脱臭剤（エタノール吸収剤）としての水を６０ｃｃ／分の供給速度で噴霧ノズル５より空気中に噴霧しつつ前記汚染空気導入口１ａと浄化空気排出口１ｂにおける空気中のエタノール濃度を測定した。噴霧された水滴の大きさは１００μｍ程度と比較的大径の水滴であった。測定の過程でエタノールをしみ込ませた布を適宜交換しつつ試験（Ｒｕｎ１〜Ｒｕｎ３）を行った。
この測定結果を図８に示す。
【００４４】
図８は、前記汚染空気導入口１ａと前記浄化空気排出口１ｂにおける試薬濃度（エタノール濃度）の経時的変化を示したチャートであり、縦軸に試薬濃度（ｐｐｍ）を示し、横軸に経過時間（分）を示している。同チャートにおいて、ＩＮ（点線）は前記汚染空気導入口濃度の経時的変化を示し、ＯＵＴ（実線）は前記浄化空気排出口濃度の経時的変化を示している。又、同チャートの試験１（Ｒｕｎ１）から試験３（Ｒｕｎ３）における夫々の各測定時点 I〜111，IV〜VI，VII〜IXの値と脱臭率を表１に示す。
【００４５】
【表１】
2006025914.tif 000003
【００４６】
〔試験結果〕
図８及び表１から明らかなように、単に旋回気流中に水を噴霧するだけでも、７０〜９０％程度の除去率が得られることが分かる。今回の試験では、噴霧された水の水滴径が１００μｍと比較的大きな粒径であるが、これを更に微細な数μｍ程度の霧化水とすれば、更に除去率は向上するものと判断されるので、本装置は、十分に空気の脱臭装置として使用することが可能であることが分かる。
【００４７】
以上に説明した通り、本発明に係る脱臭装置は、構造が極めて簡単であり、可動部を有しないので故障もなく設備価格も低廉なものとなり、しかも水等の脱臭剤をミスト状に噴霧して汚染空気中の臭気成分を除去する方式であるので、運転コストやメンテナンスコストも安価となるのみならず、大容量化も可能な装置といえる。
【産業上の利用可能性】
【００４８】
本発明の脱臭方法及び装置は、病院内の薬品臭等の異臭や飲食店の各種食品の調理臭等を除去するシステムとして、又、体育館内の空気の脱臭浄化するシステムとして、更に、生ゴミ処理装置等の廃棄物処理設備から発生する悪臭の空気の脱臭シシテム等として、幅広い利用分野が想定される。
【図面の簡単な説明】
【００４９】
【図１】本発明に係る脱臭装置の基本構成の一例を示す概念図である。
【図２】本発明に係る脱臭装置の他の基本構成を示す概念図である。
【図３】本発明に係る脱臭装置の更に他の基本構成を示す概念図である。
【図４】本発明に係る脱臭装置の一部変形例を示す要部概念図である。
【図５】本発明に係る脱臭装置の他の変形例を示す要部概念図である。
【図６】本発明に係る脱臭装置の使用例を示す概念図である。
【図７】本発明に係る脱臭装置の他の使用例を示す概念図であり、（ａ）は側面図であり、（ｂ）は平面図である。
【図８】本発明に係る脱臭装置を用いた脱臭方法の実施例の結果を示すチャートである。
【符号の説明】
【００５０】
１      筒状本体
１ａ    汚染空気導入口
１ｂ    浄化空気排出口
１ｃ    内壁面
１ｄ    太径胴部
１ｅ    内管
１ｆ    外管
２      螺旋流路
２ａ    軸
２ｂ    螺旋状通路
３      旋回流
４ａ    噴霧されたミスト
４ｂ    壁面流
５      噴霧ノズル
６      気液分離部（空洞部）
６ａ    環状空間
７      脱臭剤排出口
８，８ａ，８ｂ  脱臭剤タンク
９      内筒部
１０，１０’  紫外線照射装置
１２    傘部材
Ａ      汚染空気
Ａ’    浄化空気
Ｂ，Ｂ’  液状脱臭剤
Ｐ，Ｐ１，Ｐ２  ポンプ
【図１】
2006025914.tif 000004
【図２】
2006025914.tif 000005
【図３】
2006025914.tif 000006
【図４】
2006025914.tif 000007
【図５】
2006025914.tif 000008
【図６】
2006025914.tif 000009
【図７】
2006025914.tif 000010
【図８】
2006025914.tif 000011